(57)【要約】【課題】共振周波数を可変するのに複数の共振コンデンサを直／並列に組み合わせるとともに簡易な構成で、且つ操作性が簡易な放電点灯用電源回路、および上記放電点灯用電源回路を使用した液晶テレビジョンを提供する。【解決手段】複数の共振コンデンサを直列と並列に接続する共振コンデンサ部１５と、複数のトランジスタ１６、１７、１８を有し、上記共振コンデンサ部１５の複数の共振コンデンサの組み合わせを変化させて共振周波数を可変するために、上記各共振コンデンサの同通と遮断を切り替える切り替え手段と、上記切り替え手段が上記共振コンデンサ部の同通を切り替えるために、上記切り替え手段の各トランジスタに切り替え信号を出力する演算出力手段１９とを有する。【選択図】図２
2007257878.tif 000002
【特許請求の範囲】
【請求項１】
複数の操作キーを有し、上記操作キーを押圧することで所定の操作信号を赤外線信号に変換して出力するリモコンと、
アンテナが受信したテレビジョン放送より所定の番組に対応する周波数帯を選択し、上記選択したテレビジョン放送より映像信号と音声信号を生成するクロマ制御を行うチューナ回路と、
上記チューナ回路が生成した音声信号に増幅等の信号処理を行いスピーカを介して音声を出力する音声信号処理回路と、
印加電圧により分子の配置が変化しバックライトからの光源の透過率を変化させる液晶物質を充填した画素をマトリクス状に配列し、上記各画素の透過率を駆動回路が生成する駆動電圧により変化させることで映像を表示する液晶パネルと、
上記チューナ回路が生成した映像信号を基にカラー画面を生成するためのＲＧＢ信号を生成し、上記生成したＲＧＢ信号を上記液晶パネルの縦横比に合わせて分割する映像回路と、
交流電源を整流回路にて直流電源に変換させた後、上記直流電源をスイッチング回路により交流に変換し、上記変換した交流電源を共振コンデンサとコイルとを有する共振回路にて上記バックライトの冷陰極蛍光管を点灯するための高周波電源に変換して出力する放電点灯用電源回路と、
上記リモコンから出力される赤外線信号を再度所定の電圧を有する操作信号に変換する赤外線受光変換部と、
上記赤外線受光変換部が変換する操作信号を基に、上記チューナ回路と、上記音声信号処理回路と、上記映像回路と、上記放電点灯用電源回路とを制御する制御部とを有する液晶テレビジョンにおいて、
上記共振回路は、
ポリプロピレンコンデンサからなる第一の共振コンデンサと、第二の共振コンデンサと、第三の共振コンデンサを、第一の共振コンデンサと第三の共振コンデンサとを直列に接続するとともに、上記直列に接続した第一の共振コンデンサと第三の共振コンデンサとに並列に接続する第二の共振コンデンサとから構成される共振コンデンサ部と、
上記共振コンデンサ部に接続する上記第二の共振コンデンサの逐電電圧の出力の入り切りを行うため、同第二の共振コンデンサと直列に接続する第一のトランジスタと、
上記共振コンデンサ部に接続する上記第三の共振コンデンサの逐電電圧の出力の入り切りを行うため、同第三の共振コンデンサと直列に接続する第二のトランジスタと、
上記第二のトランジスタにて上記第一の共振コンデンサと上記第三の共振コンデンサから出力される合成逐電電圧が遮断された際、上記第一の共振コンデンサから出力される電圧を分岐させるとともに、上記分岐した第一の共振コンデンサからの出力電圧の入り切りを行うために、上記第一の共振コンデンサと上記第三の共振コンデンサの間より上記第三の共振コンデンサと並列に接続する第三のトランジスタと、
上記制御部からの切り替え信号に基づいて、上記共振コンデンサ部の合成静電容量を可変するために、上記第一のトランジスタと、第二のトランジスタと、第三のトランジスタの各ベースと接続し、上記各トランジスタをスイッチとして動作させる切り替え信号を出力する演算出力部とを有し、
上記制御部は、上記リモコンの操作キーを押圧することで、上記演算出力部が出力する切り替え信号の出力先を対応テーブルを基に切り替える共振周波数可変プログラムを記録する記録部を有することを特徴とする液晶テレビジョン。
【請求項２】
交流電源を整流回路にて直流電源に変換させた後、上記直流電源をスイッチング回路により交流に変換し、上記変換した交流電源を共振コンデンサとコイルとを有する共振回路にて冷陰極蛍光管を点灯するための高周波電源に変換して出力する放電点灯用電源回路において、
複数の共振コンデンサを直列と並列に接続する共振コンデンサ部と、
複数のトランジスタを有し、上記共振コンデンサ部の上記複数の共振コンデンサのを変化させて共振周波数を可変するために、上記各共振コンデンサの同通と遮断を切り替える切り替え手段と、
上記切り替え手段が上記共振コンデンサ部の同通を切り替えるために、上記切り替え手段の各トランジスタに切り替え信号を出力する演算出力手段とを有することを特徴とする放電点灯用電源回路。
【請求項３】
上記共振コンデンサ部は、第一の共振コンデンサと第三の共振コンデンサとを直列に接続するとともに、上記直列に接続した第一の共振コンデンサと第三の共振コンデンサとに並列に接続する第二の共振コンデンサとから構成され、
上記切り替え手段は、
上記共振コンデンサ部に接続する上記第二の共振コンデンサの逐電電圧の出力の入り切りを行うため、同第二の共振コンデンサと直列に接続する第一のトランジスタと、
上記共振コンデンサ部に接続する上記第三の共振コンデンサの逐電電圧の出力の入り切りを行うため、同第三の共振コンデンサと直列に接続する第二のトランジスタと、
上記第二のトランジスタにて上記第一の共振コンデンサと上記第三の共振コンデンサから出力される合成逐電電圧が遮断された際、上記第一の共振コンデンサから出力される電圧を分岐させるとともに、上記分岐した第一の共振コンデンサからの出力電圧の入り切りを行うために、上記第一の共振コンデンサと上記第三の共振コンデンサの間より上記第三の共振コンデンサと並列に接続する第三のトランジスタとを有することを特徴とする請求項２に記載の放電点灯用電源回路。
【請求項４】
上記切り替え手段は、上記第三のトランジスタのコレクタ／エミッタ間の同通により、上記第一の共振コンデンサの逐電電圧の分岐の入り切りを行う電磁リレーを有することを特徴とする請求項３に記載の放電点灯用電源回路。
【請求項５】
上記共振コンデンサは、耐圧の強いポリプロピレンコンデンサであることを特徴とする請求項２〜請求項４のいずれかに記載の放電点灯用電源回路。
【請求項６】
上記演算出力手段は、リモコンの操作キーの押圧に基づいて上記切り替え手段の各トランジスタに切り替え信号を出力することを特徴とする請求項２〜請求項５のいずれかに記載の放電点灯用電源回路。
【発明の詳細な説明】
【技術分野】
【０００１】
本発明は、放電点灯用電源回路に関し、特に、共振現象を用いて安定化電源を供給する放電点灯用電源回路および上記放電点灯用電源回路を使用する液晶テレビジョンに関する。 
【背景技術】
【０００２】
冷陰極蛍光管等に電源を供給するために従来の放電点灯用電源回路では、共振回路を実装し電源の安定化を図っている。共振回路は、コイルと共振コンデンサの共振現象を用いて、特定の周波数帯の電源のみを高周波として増幅し他の周波数帯を遮断する機能を有している。図６は、従来の共振回路１を表す図である。同図より、共振回路１は、入力端子２と、チョークコイル３と、第一のＭＯＳＦＥＴ４と、第二のＭＯＳＦＥＴ５と、一次巻線６ａと二次巻線６ｂとからなるトランス６と、中和コンデンサ７と、共振コンデンサ８とを有する構成である。
【０００３】
共振回路１は公知技術であるため、その動作を簡略的に説明する。入力端子２よりチョークコイル３を介して入力された交流電源は交流成分の正の半周期を第一のＭＯＳＦＥＴ４のスイッチング作用により一次巻線６ａに出力し、交流成分の負の半周期を第二のＭＯＳＦＥＴ５のスイッチング作用により一次巻線６ａに出力する。これにより、トランス６の二次巻線６ｂでは、上記交流成分の正の半周期と負の半周期が合成され元の交流成分となる。このとき、共振コンデンサ８と一次巻線６ａとの間に共振現象が起き特定の周波数帯（並列共振周波数ｆｒ）で共振回路１全体でのインピーダンスが最大となる。このとき一次巻線６ａには数倍増幅された電流が流れ、二次巻線６ｂを介して冷陰極蛍光管９に電流が流れる。
【０００４】
上記した共振回路１を使用することで、特定周波数帯の電流のみ増幅を行い他の周波数帯の電流を遮断することが可能となり、冷陰極蛍光管に出力される電源のノイズや不要輻射の除去を行っている。並列共振周波数ｆｒの値は、一次巻線６ａのリアクタンスＬと共振コンデンサ８の静電容量から算出され、
ｆｒ＝１／（２π√ＬＣ）
である。つまり、並列共振周波数ｆｒを可変させるためには共振コンデンサ８の静電容量Ｃを変化させればよい。このため、工場出荷時等において、冷陰極蛍光管の点灯が安定しない場合は、共振回路１の共振コンデンサ８をことなる静電容量を有する共振コンデンサ８に取り替えることで製品の安定化を図ってきた。
【０００５】
共振コンデンサの静電容量Ｃを可変させる方法として、複数の共振コンデンサをスイッチング端子と接続し、上記スイッチング端子のオン／オフを切り替えることにより共振コンデンサのの直列／並列を切り替え、静電容量を可変させる方法が開示されている（例えば、特許文献１参照。）。
【０００６】
またダイオードのベース電流を制御装置によりフィードバック制御し、共振コンデンサの見かけの静電容量を変化させる方法が開示されている（例えば、特許文献２参照。）。
【特許文献１】特開平０７ー１５３５８９号
【特許文献２】特開平０９ー１５４２８６号
【発明の開示】
【発明が解決しようとする課題】
【０００７】
上述した特許文献１の発明は、次のような課題があった。つまり、特許文献１の発明は共振コンデンサを並列に接続したものであり、により作り出すことが可能な共振コンデンサの合成静電容量の範囲が狭かった。また、共振コンデンサの切り替えにスイッチング端子を用いており切り替えに対する作業性の悪さがあった。
【０００８】
また、特許文献２の発明は、次のような課題があった。つまり、特許文献２の発明はフィードバック制御により共振コンデンサの見かけの静電容量を可変させるため、工場出荷時の最終検査のような静電容量を頻繁に可変する必要がない場合には、回路構成を複雑にさせるとともにコストの増大を招いていた。
【０００９】
本発明は、上記課題にかんがみてなされたもので、共振周波数を可変するのに複数の共振コンデンサを直／並列に組み合わせるとともに簡易な構成で、且つ操作性が簡易な放電点灯用電源回路、および上記放電点灯用電源回路を使用した液晶テレビジョンの提供を目的とする。
【課題を解決するための手段】
【００１０】
上記課題を解決するために、本発明の請求項１にかかる発明では、複数の操作キーを有し、上記操作キーを押圧することで所定の操作信号を赤外線信号に変換して出力するリモコンと、アンテナが受信したテレビジョン放送より所定の番組に対応する周波数帯を選択し、上記選択したテレビジョン放送より映像信号と音声信号を生成するクロマ制御を行うチューナ回路と、上記チューナ回路が生成した音声信号に増幅等の信号処理を行いスピーカを介して音声を出力する音声信号処理回路と、印加電圧により分子の配置が変化しバックライトからの光源の透過率を変化させる液晶物質を充填した画素をマトリクス状に配列し、上記各画素の透過率を駆動回路が生成する駆動電圧により変化させることで映像を表示する液晶パネルと、上記チューナ回路が生成した映像信号を基にカラー画面を生成するためのＲＧＢ信号を生成し、上記生成したＲＧＢ信号を上記液晶パネルの縦横比に合わせて分割する映像回路と、交流電源を整流回路にて直流電源に変換させた後、上記直流電源をスイッチング回路により交流に変換し、上記変換した交流電源を共振コンデンサとコイルとを有する共振回路にて上記バックライトの冷陰極蛍光管を点灯するための高周波電源に変換して出力する放電点灯用電源回路と、上記リモコンから出力される赤外線信号を再度所定の電圧を有する操作信号に変換する赤外線受光変換部と、上記赤外線受光変換部が変換する操作信号を基に、上記チューナ回路と、上記音声信号処理回路と、上記映像回路と、上記放電点灯用電源回路とを制御する制御部とを有する液晶テレビジョンにおいて、  上記共振回路は、第一の共振コンデンサと第三の共振コンデンサとを直列に接続するとともに、上記直列に接続した第一の共振コンデンサと第三の共振コンデンサとに並列に接続する第二の共振コンデンサとから構成される共振コンデンサ部と、上記共振コンデンサ部に接続する上記第二の共振コンデンサの逐電電圧の出力の入り切りを行うため、同第二の共振コンデンサと直列に接続する第一のトランジスタと、上記共振コンデンサ部に接続する上記第三の共振コンデンサの逐電電圧の出力の入り切りを行うため、同第三の共振コンデンサと直列に接続する第二のトランジスタと、上記第二のトランジスタにて上記第一の共振コンデンサと上記第三の共振コンデンサから出力される合成逐電電圧が遮断された際、上記第一の共振コンデンサから出力される電圧を分岐させるとともに、上記分岐した第一の共振コンデンサからの出力電圧の入り切りを行うために、上記第一の共振コンデンサと上記第三の共振コンデンサの間より上記第三の共振コンデンサと並列に接続する第三のトランジスタと、上記制御部からの切り替え信号に基づいて、上記共振コンデンサ部の合成静電容量を可変するために、上記第一のトランジスタと、第二のトランジスタと、第三のトランジスタの各ベースと接続し、上記各トランジスタをスイッチとして動作させる切り替え信号を出力する演算出力部とを有し、
上記制御部は、上記リモコンの操作キーを押圧することで、上記演算出力部が出力する切り替え信号の出力先を対応テーブルを基に切り替える共振周波数可変プログラムを記録する記録部を有する構成である。
【００１１】
上記のように構成した請求項１にかかる発明においては、リモコンと、チューナ回路と、音声信号処理回路と、液晶パネルと、映像回路と、放電点灯用電源回路と、赤外線受光変換部と、制御部とを有する液晶テレビジョンにおいて、上記放電点灯用電源回路に実装される共振回路の共振周波数を可変するものである。
【００１２】
上記共振回路は第一の共振コンデンサと第三の共振コンデンサとを直列に接続するとともに、上記直列に接続した第一の共振コンデンサと第三の共振コンデンサとに並列に接続する第二の共振コンデンサとから構成される共振コンデンサ部を有する。上記共振コンデンサ部の合成静電容量を可変するために、第一のトランジスタと第二のトランジスタと第三のトランジスタとを有する。第一のトランジスタは、上記共振コンデンサ部に接続する上記第二の共振コンデンサの逐電電圧の出力の入り切りを行うため、同第二の共振コンデンサと直列に接続する。第二のトランジスタは、上記共振コンデンサ部に接続する上記第三の共振コンデンサの逐電電圧の出力の入り切りを行うため、同第三の共振コンデンサと直列に接続する。第三のトランジスタは、上記第二のトランジスタにて上記第一の共振コンデンサと上記第三の共振コンデンサから出力される合成逐電電圧が遮断された際、上記第一の共振コンデンサから出力される電圧を分岐させるとともに、上記分岐した第一の共振コンデンサからの出力電圧の入り切りを行うために、上記第一の共振コンデンサと上記第三の共振コンデンサの間より上記第三の共振コンデンサと並列に接続する。
【００１３】
また、共振回路は、上記制御部からの切り替え信号に基づいて、上記共振コンデンサ部の合成静電容量を可変するために、演算出力部を有する。演算出力部は、上記第一のトランジスタと、第二のトランジスタと、第三のトランジスタの各ベースと接続し、上記各トランジスタをスイッチとして動作させる切り替え信号を出力する。
【００１４】
さらに、リモコンを用いて上記演算出力部を制御するために、制御部は上記リモコンの操作キーを押圧することで、上記演算出力部が出力する切り替え信号の出力先を対応テーブルを基に切り替える共振周波数可変プログラムを記録する記録部を有する。
【００１５】
また、上記目的を達成するために、請求項２に記載の放電点灯用電源回路では、交流電源を整流回路にて直流電源に変換させた後、上記直流電源をスイッチング回路により交流に変換し、上記変換した交流電源を共振コンデンサとコイルとを有する共振回路にて冷陰極蛍光管を点灯するための高周波電源に変換して出力する放電点灯用電源回路において、  複数の共振コンデンサを直列と並列に接続する共振コンデンサ部と、複数のトランジスタを有し、上記共振コンデンサ部の上記複数の共振コンデンサのを変化させて共振周波数を可変するために、上記各共振コンデンサの同通と遮断を切り替える切り替え手段と、上記切り替え手段が上記共振コンデンサ部の同通を切り替えるために、上記切り替え手段の各トランジスタに切り替え信号を出力する信号出力手段とを有する構成としてある。
【００１６】
上記のように構成した請求項２にかかる発明において、上記放電点灯用電源回路は、共振コンデンサ部と、切り替え手段と、信号出力手段とを有する。共振コンデンサ部は、複数の共振コンデンサを直列と並列に接続する。切り替え手段は、複数のトランジスタを有し、上記共振コンデンサ部の上記複数の共振コンデンサのを変化させて共振周波数を可変するために、上記各共振コンデンサの同通と遮断を切り替える。信号出力手段は、上記切り替え手段が上記共振コンデンサ部の同通を切り替えるために、上記切り替え手段の各トランジスタに切り替え信号を出力する。
【００１７】
そして、請求項３にかかる発明では、請求項２に記載の放電点灯用電源回路において、上記共振コンデンサ部は、第一の共振コンデンサと第三の共振コンデンサとを直列に接続するとともに、上記直列に接続した第一の共振コンデンサと第三の共振コンデンサとに並列に接続する第二の共振コンデンサとから構成され、上記切り替え手段は、上記共振コンデンサ部に接続する上記第二の共振コンデンサの逐電電圧の出力の入り切りを行うため、同第二の共振コンデンサと直列に接続する第一のトランジスタと、上記共振コンデンサ部に接続する上記第三の共振コンデンサの逐電電圧の出力の入り切りを行うため、同第三の共振コンデンサと直列に接続する第二のトランジスタと、上記第二のトランジスタにて上記第一の共振コンデンサと上記第三の共振コンデンサから出力される合成逐電電圧が遮断された際、上記第一の共振コンデンサから出力される電圧を分岐させるとともに、上記分岐した第一の共振コンデンサからの出力電圧の入り切りを行うために、上記第一の共振コンデンサと上記第三の共振コンデンサの間より上記第三の共振コンデンサと並列に接続する第三のトランジスタとを有する構成としてある。
【００１８】
上記のように構成した請求項３にかかる発明において、上記共振コンデンサ部は、上記切り替え手段により合成静電容量を可変するために、第一の共振コンデンサと第三の共振コンデンサとを直列に接続するとともに、上記直列に接続した第一の共振コンデンサと第三の共振コンデンサとに並列に接続する第二の共振コンデンサとから構成されている。また、上記切り替え手段は、第一のトランジスタと、第二のトランジスタと、第三のトランジスタとを有し上記共振コンデンサ部の合成静電容量を可変する。このため、第一のトランジスタは、上記共振コンデンサ部に接続する上記第二の共振コンデンサの逐電電圧の出力の入り切りを行うため、同第二の共振コンデンサと直列に接続する。第二のトランジスタは、上記共振コンデンサ部に接続する上記第三の共振コンデンサの逐電電圧の出力の入り切りを行うため、同第三の共振コンデンサと直列に接続する。第三のトランジスタは、上記第二のトランジスタにて上記第一の共振コンデンサと上記第三の共振コンデンサから出力される合成逐電電圧が遮断された際、上記第一の共振コンデンサから出力される電圧を分岐させるとともに、上記分岐した第一の共振コンデンサからの出力電圧の入り切りを行うために、上記第一の共振コンデンサと上記第三の共振コンデンサの間より上記第三の共振コンデンサと並列に接続する。
【００１９】
さらに、請求項４にかかる発明では、請求項３に記載の放電点灯用電源回路において、上記切り替え手段は、上記第三のトランジスタのコレクタ／エミッタ間の同通により、上記第一の共振コンデンサの逐電電圧の分岐の入り切りを行う電磁リレーを有する構成としてある。
【００２０】
上記のように構成した請求項４にかかる発明において、上記切り替え手段は、上記第三のトランジスタのコレクタ／エミッタ間の同通により開閉の切り替えをおこなう電磁リレーを有し、上記第一の共振コンデンサの逐電電圧の分岐の入り切りを行う。
【００２１】
さらに、請求項５にかかる発明は請求項２〜請求項４のいずれかに記載の放電点灯用電源回路において、上記共振コンデンサは、耐圧の強いポリプロピレンコンデンサであ構成としてある。
【００２２】
上記のように構成した請求項５にかかる発明において、上記共振コンデンサは、ポリプロピレンコンデンサを使用するので、各共振コンデンサの切り替えにおける不慮の耐圧に対応することができる。
【００２３】
さらに、請求項６にかかる発明は、請求項２〜請求項５のいずれかに記載の放電点灯用電源回路において、上記演算出力手段は、リモコンの操作キーの押圧に基づいて上記切り替え手段の各トランジスタに切り替え信号を出力する構成としてある。
【００２４】
上記のように構成した請求項６にかかる発明において、演算出力部が上記切り替え手段の各トランジスタに組み合わせ信号を出力する方法として、リモコンの操作キーを押圧することで切り替え信号を出力する。
【発明の効果】
【００２５】
以上説明したように本発明によれば、共振周波数を幅広く可変するとともに簡易な操作で共振コンデンサのを可変することが可能な放電点灯用電源回路を提供することができる。
また請求項３にかかる発明によれば、３個の共振コンデンサをトランジスタの切り替えによって組み替えることができるので、回路内の合成静電容量をさまざまに可変することができる。
そして請求項４にかかる発明によれば、電磁リレーを有して共振コンデンサのを切り替えるので、共振コンデンサから供給される逐電電圧を確実に遮断することができる。
さらに請求項５にかかる発明によれば、共振コンデンサとして耐圧の強いポリプロピレンコンデンサを使用するので大電圧の電源を使用する放電点灯用電源回路にも使用することができる。
また請求項６にかかる発明によれば、遠隔操作部を用いて共振回路を制御するので、簡易な操作で共振回路の共振周波数を可変することができる。
さらに請求項１のような、より具体的な構成において、上述した請求項２〜請求項６の各発明と同様の作用を奏することはいうまでもない。
【発明を実施するための最良の形態】
【００２６】
本発明の放電点灯用電源回路の具体的な説明として、上記放電点灯用電源回路を使用する液晶テレビジョン１０を基に説明する。しかしながら、本発明の放電点灯用電源回路は上記液晶テレビジョンに限定されるものではなく、共振回路を実装する放電点灯用電源回路を使用するものであれば応用することができる。以下、下記の順序に従って本発明の実施形態を説明する。
（１）第一の実施例
（２）第二の実施例
（３）まとめ：
【００２７】
（１）第一の実施例
図１は、本発明の一実施形態である液晶テレビジョン１０のブロック構成図である。以下図１を用いて、液晶テレビジョン１０を説明する。同図より、液晶テレビジョン１０は、操作信号を赤外線により出力するリモコン１２と、映像を表示するテレビジョン本体１１とから構成され、ユーザはリモコン１２を用いてテレビジョン本体１１を遠隔制御することが可能である。
【００２８】
リモコン１２は、操作キー１３と、赤外線送信部１４とを有する構成である。操作キー１３は、テレビジョン本体１１の電源をオン／オフするための電源キー１３ｅ、複数のチャンネル番号が表示されたキーを押圧することでチャンネルを切り替えるための第一のチャンネルキー１３ａ、チャンネルアップキー１３ｂ１とチャンネルダウンキー１３ｂ２を有し、上記アップキーとダウンキーの押圧によりチャンネルを切り替える第二のチャンネルキー１３ｂ、音声を調整するための音声キー１３ｃを有する。上記操作キー１３は、押圧することにより所定の電圧値を有する操作信号を出力する。赤外線送信部１４は、上記操作信号を受け入れ、各操作信号に対応した周波数を有する赤外線信号に変換し、テレビジョン本体１１側に出力する。
【００２９】
赤外線送信部１４が出力した赤外線信号は、赤外線受光変換部１１ｉに受光され再度所定の電圧値を有する操作信号に変換される。上記変換された操作信号は、制御部１１ｊに出力され、テレビジョン本体１１の各要素を制御することで液晶テレビジョン１０の機能を実現する。テレビジョン本体１１は、チューナ回路１１ｂと、音声信号処理回路１１ｄ１１ｋと、スピーカ１１ｅと、液晶パネル１１ｇと、映像回路１１ｃと、放電点灯用電源回路とを有する構成である。上記構成要素はバスにて接続され、制御部１１ｊの制御を受ける。以下に液晶テレビジョン１０の各構成要素の作用を説明する。
【００３０】
チューナ回路１１ｂは、アンテナ１１ａが受信したテレビジョン放送より所定の番組に対応する周波数帯のみを増幅して選択する。次に、チューナ回路１１ｂは、上記選択したテレビジョン放送より映像信号と音声信号を生成するクロマ制御を行い、映像信号を映像回路１１ｃに、音声信号を音声信号処理回路１１ｄに出力する。
【００３１】
音声信号処理回路１１ｄは、チューナ回路１１ｂが生成した音声信号を受けて、音声を増幅するための増幅等の信号処理を行いスピーカを介して音声を出力する。また、映像回路１１ｃは、チューナ回路１１ｂが生成した映像信号を元にカラー画像を生成するＲＧＢ信号を生成する。さらに映像回路１１ｃは上記生成したＲＧＢ信号を内部のスケーラ回路１１ｆにて液晶パネル１１ｇを構成する画素の縦横比に合わせて分割する。
【００３２】
液晶パネル１１ｇは、印加電圧により分子の配置が変化し光源の透過率を変化させる液晶物質を充填した画素をマトリクス状に配列している。上記画素はＲＧＢの各色が塗布されており、映像回路１１ｃにて分割されて出力されたＲＧＢ信号は一旦液晶パネル１１ｇに実装される駆動回路に出力される。駆動回路は、上記分割したＲＧＢ信号を基に、上記画素ごとに出力する印加電圧である駆動電圧を変化させ液晶物質の光源の透過率を変化させる。これにより、ＲＧＢの各色が塗り分けれた各画素は光の透過率の変化により色の階調を変化させカラー画面を表示する。
【００３３】
液晶パネル１１ｇの光源としては通常バックライト１１ｈが使用される。バックライトは、複数の冷陰極蛍光管を配置し上記冷陰極蛍光管を点灯させることで液晶パネル１１ｇの光源として働く。冷陰極蛍光管は、価格の安さや、形状を容易に変更可能であるため広く使用されている。
【００３４】
放電点灯用電源回路１１ｋは、テレビジョン本体の各構成要素に必要な電源を供給する。放電点灯用電源回路１１ｋは、バックライト１１ｈに安定化電源を供給するためのもので、放電点灯用電源回路１１ｋ内で商用電源から供給された交流電源は、整流回路１１ｋ１の整流ダイオードにより直流電源に変換された後、スイッチング回路１１ｋ２に出力される。スイッチング回路１１ｋ２は、上記整流した電源をＰＷＭ制御等のスイッチング動作により再度交流電源に変換する。共振回路１は、共振現象を利用して所定周波数帯での電流を高周波電源に変換しつつノイズ等の除去を行いバックライト１１ｈに安定化電源を供給する。
【００３５】
以下図２を用いて本発明の一実施形態である共振回路１を説明する。同図より、共振回路１は、共振コンデンサ部１５と、第一のＭＯＳＦＥＴ４と、第二のＭＯＳＦＥＴ５と、第一のトランジスタ１６と、第二のトランジスタ１７と、第三のトランジスタ１８と、出力トランス６と、演算出力部１９とを有する構成である。上記構成の共振回路１は、演算出力部１９から出力される切り替え信号を基に、共振コンデンサ部１５の合成静電容量を変化させ、出力トランス６に出力する電流の周波数を変化させる。
【００３６】
共振コンデンサ部１５は、第一の共振コンデンサ１５ａと第三の共振コンデンサ１５ｃとを直列に接続するとともに、上記直列に接続した第一の共振コンデンサ１５ａと第三の共振コンデンサ１５ｃとに並列に接続する第二の共振コンデンサ１５ｂとから構成される。このとき使用される共振コンデンサとしては、耐圧性の高いポリプロピレンコンデンサを使用し安全性を憂慮する。また、共振コンデンサ部１５の合成静電容量を切り替えるために、共振コンデンサ部１５の第二の共振コンデンサ１５ｂと直列に接続する第一のトランジスタ１６と、第三の共振コンデンサ１５ｃと直列に接続する第二のトランジスタ１７と、第一の共振コンデンサ１５ａと第三の共振コンデンサ１５ｃとの間より上記第三の共振コンデンサ１５ｃと並列に接続する第三のトランジスタ１８とを接続している。
【００３７】
上記構成にて、第一のトランジスタ１６は、第二の共振コンデンサ１５ｂの逐電電圧の出力の入り切りを行うスイッチとして作動する。第二のトランジスタ１７は、第三の共振コンデンサ１５ｃの逐電電圧の出力の入り切りを行うスイッチとして作動する。さらに、第三のトランジスタ１８は、第二のトランジスタ１７にて第一の共振コンデンサ１５ａと第三の共振コンデンサ１５ｃから出力される合成逐電電圧が遮断された際、第一の共振コンデンサ１５ａから出力される電圧を分岐させるとともに、上記分岐した第一の共振コンデンサ１５ａからの出力電圧の入り切りを行うスイッチとして作動する。
【００３８】
演算出力部１９は、制御部１１ｊからの指示に基づいて、第一のトランジスタ１６と、第二のトランジスタ１７と、第三のトランジスタ１８とを共振コンデンサ部１５の共振コンデンサ１５ａ、１５ｂ、１５ｃのを切り替えるスイッチとして作動させるために、同各トランジスタ１６、１７、１８の各ベースと接続し、各トランジスタ１６、１７、１８をスイッチとして動作させる切り替え信号を出力する。
【００３９】
また制御部１１ｊは、リモコン１２の操作キー１３を押圧することで、演算出力部１９が出力する切り替え信号の出力先のを対応付ける対応テーブルを基に切り替える共振周波数可変プログラムを記録する記録部２０を有する。共振周波数可変プログラムは、工場出荷時にリモコン１２の操作キー１３を用いて上記演算出力部１９を制御することで、共振回路１の共振周波数を可変するためのものである。
【００４０】
図３は共振周波数可変プログラム起動時に参照される対応テーブルの図である。同図より、縦軸は共振回路１のトランジスタ１６、１７、１８を図示し、Ｂ１は第一のトランジスタ１６を、Ｂ２は第二のトランジスタ１７を、Ｂ３は第三のトランジスタ１８をそれぞれ表している。また横軸はリモコン１２の操作キー１３を表し、ＩＮＶ＿ＣＯＮＴ＿１は操作キー１３を、ＩＮＶ＿ＣＯＮＴ＿２は操作キー１３を、ＩＮＶ＿ＣＯＮＴ＿３は操作キー１３をそれぞれ表している。上記縦軸と横軸が対応する格子にはそれぞれ「Ｈ」と「Ｌ」が表示され、「Ｈ」の場合は各トランジスタ１６、１７，１８のベースに切り替え信号を出力し、「Ｌ」の場合は同ベースに切り替え信号を出力しない。上記操作キー１３と制御信号との対応は、工場出荷時に任意で組み合わせるものであり、記録部２０のプログラムの変更により変更可能である。
【００４１】
これにより、リモコン１２の操作キー１３が押圧された場合は、対応テーブルのＩＮＶ＿ＣＯＮＴ＿１が表記された行に対応して、制御部１１ｊは演算出力部１９に第一のトランジスタ１６と、第二のトランジスタ１７の各ベースに切り替え信号を出力し、第三のトランジスタ１８のベースには切り替え信号を出力しないよう指示を出す。これにより共振回路１の合成静電容量が決定され共振周波数が可変される。
【００４２】
図４は、制御部が実行する共振周波数可変プログラムのフローチャートである。工場出荷時にリモコン１２のメニューキー１３ｄとチャンネルアップキー１３ｂ１を同時に押圧すると、制御部１１ｊは、記録部２０に記録された共振周波数可変プログラムを読み出す（ステップＳ１００）。次に、制御部１１ｊは、リモコン１２からの操作キーの制御信号を受け付ける（ステップＳ１１０）。制御部１１ｊは、上記各操作キー１３が押圧されたことを赤外線受光変換部１１ｉを介して受け入れると、記録部２０より切り替えテーブルを参照し（ステップＳ１２０）、受け入れた操作信号に対応する切り替え信号のに基づいて演算出力部１９に切り替え信号を出力するよう指示を出す（ステップＳ１３０。）
【００４３】
上記フローはリモコン１２のメニューキー１３ｄとチャンネルアップキー１３ｂ１を再度同時に押圧するまで続けられる（ステップＳ１４０）。制御部１１ｊは上記押圧を受け入れると、演算出力部１９に現在出力する切り替え信号のを保持するよう指示を出す（ステップＳ１５０）。これにより、演算出力部１９は、決定された切り替え信号の組み合わせを保持する。
【００４４】
これにより、リモコン１２の操作キー１３を押圧するだけで、複数の共振コンデンサを直／並列に組み合わせた共振コンデンサ部を演算出力部１９を用いて共振回路１の共振周波数を可変するので、同共振回路の共振周波数を広く設定できるとともに、簡易な操作で共振コンデンサのを可変することが可能な放電点灯用電源回路を提供することができる。
【００４５】
（２）第二の実施例
次に、図５を参照して、この発明に係る放電点灯用電源回路を具体化した第２の実施の形態について説明する。同図より、共振回路１は、第三のトランジスタ１８のコレクタ／エミッタ間の同通により、第一の共振コンデンサ１５ａの逐電電圧の分岐の入り切りを行う電磁リレー２１を有する構成である。これにより、電磁リレー２１を使用することで共振コンデンサ８から供給される逐電電圧の確実な遮断を行うことができる。
【００４６】
（３）まとめ
放電点灯用電源回路に実装される共振回路において、共振コンデンサ１５ａ、１５ｂ、１５ｃを直列と並列に接続する共振コンデンサ部１５と、上記共振コンデンサ部１５の上記複数の共振コンデンサ１５ａ、１５ｂ、１５ｃのを変化させて共振周波数を可変するために、上記各共振コンデンサの同通と遮断を切り替える切り替え手段であるトランジスタ１６、１７、１８と、上記切り替え手段が上記共振コンデンサ部１５の同通を切り替えるために、上記切り替え手段の各トランジスタに切り替え信号を出力する演算出力手段１９とを有する。
【００４７】
請求項３にかかる発明では、請求項２に記載の放電点灯用電源回路において、上記共振コンデンサ部は、第一の共振コンデンサと第三の共振コンデンサとを直列に接続するとともに、上記直列に接続した第一の共振コンデンサと第三の共振コンデンサとに並列に接続する第二の共振コンデンサとから構成され、上記切り替え手段は、上記共振コンデンサ部に接続する上記第二の共振コンデンサの逐電電圧の出力の入り切りを行うため、同第二の共振コンデンサと直列に接続する第一のトランジスタと、上記共振コンデンサ部に接続する上記第三の共振コンデンサの逐電電圧の出力の入り切りを行うため、同第三の共振コンデンサと直列に接続する第二のトランジスタと、上記第二のトランジスタにて上記第一の共振コンデンサと上記第三の共振コンデンサから出力される合成逐電電圧が遮断された際、上記第一の共振コンデンサから出力される電圧を分岐させるとともに、上記分岐した第一の共振コンデンサからの出力電圧の入り切りを行うために、上記第一の共振コンデンサと上記第三の共振コンデンサの間より上記第三の共振コンデンサと並列に接続する第三のトランジスタとを有する構成としてある。
【００４８】
上記のように構成した請求項３にかかる発明において、上記共振コンデンサ部は、上記切り替え手段により合成静電容量を可変するために、第一の共振コンデンサと第三の共振コンデンサとを直列に接続するとともに、上記直列に接続した第一の共振コンデンサと第三の共振コンデンサとに並列に接続する第二の共振コンデンサとから構成されている。また、上記切り替え手段は、第一のトランジスタと、第二のトランジスタと、第三のトランジスタとを有し上記共振コンデンサ部の合成静電容量を可変する。このため、第一のトランジスタは、上記共振コンデンサ部に接続する上記第二の共振コンデンサの逐電電圧の出力の入り切りを行うため、同第二の共振コンデンサと直列に接続する。第二のトランジスタは、上記共振コンデンサ部に接続する上記第三の共振コンデンサの逐電電圧の出力の入り切りを行うため、同第三の共振コンデンサと直列に接続する。第三のトランジスタは、上記第二のトランジスタにて上記第一の共振コンデンサと上記第三の共振コンデンサから出力される合成逐電電圧が遮断された際、上記第一の共振コンデンサから出力される電圧を分岐させるとともに、上記分岐した第一の共振コンデンサからの出力電圧の入り切りを行うために、上記第一の共振コンデンサと上記第三の共振コンデンサの間より上記第三の共振コンデンサと並列に接続するため、回路内の合成静電容量をさまざまに可変することができる。
【００４９】
さらに、請求項４にかかる発明では、請求項３に記載の放電点灯用電源回路において、上記切り替え手段は、上記第三のトランジスタのコレクタ／エミッタ間の同通により、上記第一の共振コンデンサの逐電電圧の分岐の入り切りを行う電磁リレーを有する構成としてある。
【００５０】
上記のように構成した請求項４にかかる発明において、上記切り替え手段は、上記第三のトランジスタのコレクタ／エミッタ間の同通により開閉の切り替えをおこなう電磁リレーを有し、上記第一の共振コンデンサの逐電電圧の分岐の入り切りを行うので共振コンデンサから供給される逐電電圧を確実に遮断することができる。
【００５１】
さらに、請求項５にかかる発明は請求項２〜請求項４のいずれかに記載の放電点灯用電源回路において、上記共振コンデンサは、耐圧の強いポリプロピレンコンデンサである構成としてある。
【００５２】
上記のように構成した請求項５にかかる発明において、上記共振コンデンサは、ポリプロピレンコンデンサを使用するので、各共振コンデンサの切り替えにおける不慮の耐圧に対応することができるので、大電圧の電源を使用する放電点灯用電源回路にも使用することができる。
【００５３】
さらに、請求項６にかかる発明は、請求項２〜請求項５のいずれかに記載の放電点灯用電源回路において、上記演算出力手段は、リモコンの操作キーの押圧に基づいて上記切り替え手段の各トランジスタに切り替え信号を出力する構成としてある。
【００５４】
上記のように構成した請求項６にかかる発明において、演算出力部が上記切り替え手段の各トランジスタに組み合わせ信号を出力する方法として、リモコンの操作キーを押圧することで切り替え信号を出力するので、簡易な操作で共振回路の共振周波数を可変することができる。 
【００５５】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００５６】
【図１】液晶テレビジョンのブロック構成図である。
【図２】共振回路の回路構成である。
【図３】対応テーブルを表す図である。
【図４】制御部が実行する共振周波数可変プログラムのフローチャートである。
【図５】電磁リレーを用いた変形例を表す図である。
【図６】従来の共振回路の図である。
【符号の説明】
【００５７】
１…共振回路  ２…入力端子  ３…チョークコイル  ４…第一のＭＯＳＦＥＴ  ５…第二のＭＯＳＦＥＴ  ６…トランス  ６ａ…一次巻線  ６ｂ…二次巻線  ７…中和コンデンサ  ８…共振コンデンサ  ９…冷陰極蛍光管  １０…液晶テレビジョン  １１…テレビジョン本体  １１ａ…アンテナ  １１ｂ…チューナ回路  １１ｃ…映像回路  １１ｄ…音声信号処理回路  １１ｅ…スピーカ  １１ｆ…スケーラ回路  １１ｇ…液晶パネル  １１ｈ…バックライト  １１ｉ…赤外線受光変換部  １１ｊ…制御部  １１ｋ…放電電灯用電源回路  １１ｋ１…整流回路  １１ｋ２…スイッチング回路  １２…リモコン  １３…操作キー  １３ａ…第一のチャンネルキー  １３ｂ…第二のチャンネルキー  １３ｂ１…チャンネルアップキー  １３ｂ２…チャンネルダウンキー  １３ｃ…音声キー  １３ｄ…メニューキー  １３ｅ…電源キー  １４…赤外線送信部  １５…共振コンデンサ部  １５ａ…第一の共振コンデンサ  １５ｂ…第二の共振コンデンサ  １５ｃ…第三の共振コンデンサ  １６…第一のトランジスタ  １７…第二のトランジスタ  １８…第三のトランジスタ  １９…演算出力部  ２０…記録部  ２１…電磁リレー
【図１】
2007257878.tif 000003
【図２】
2007257878.tif 000004
【図３】
2007257878.tif 000005
【図４】
2007257878.tif 000006
【図５】
2007257878.tif 000007
【図６】
2007257878.tif 000008